(57)【要約】【課題】金属ばね体による摺動摩耗で装着感触が低下することを防止する。【解決手段】片口金形ランプの発光管の片側に設けられたベースからその発光管とは逆方向に突出する突出部および複数のランプピンが、それぞれ、挿入され、片口金形ランプを所定角度回転自在とする形状に形成された凹部１０ａおよび複数のランプピン挿入孔１０ｂを一の面側に有するとともに、他の面側に収納室を有し、片口金形ランプが所定角度回転されると、これを保持する樹脂製のソケットボディ１０と、この他の面側に取着されるソケットカバー１１と、複数の導電金具１２と、所定角度回転時に装着感触を出す金属ばね体１３とを備えた。そして、ソケットボディ１０側の金属ばね体１３との摺動部分において、少なくとも金属ばね体１３との押圧力が最大となる部分に金属製の高耐摩耗性部材１４を設けた。【選択図】　図１
2004022312.tif 000002
【特許請求の範囲】
【請求項１】
片口金形ランプの発光管の片側に設けられたベースからその発光管とは逆方向に突出する突出部および複数のランプピンが、それぞれ、挿入され、前記片口金形ランプを所定角度回転自在とする形状に形成された凹部および複数のランプピン挿入孔を一の面側に有するとともに、他の面側に収納室を有し、前記片口金形ランプの突出部および複数のランプピンが前記凹部および複数のランプピン挿入孔にそれぞれ挿入されて所定角度前記片口金形ランプが回転されると、これを保持する樹脂製のソケットボディと、
このソケットボディの他の面側に取着されて前記収納室を閉塞するソケットカバーと、
前記収納室内に収められ、前記複数のランプピンとそれぞれ電気的に接続される複数の導電金具と、
前記収納室内に収められ、前記片口金形ランプが前記所定角度回転されるときに前記突出部に従動して前記ソケットボディ側に摺動することで前記片口金形ランプの装着感触を出す金属ばね体と
を備え、
前記ソケットボディ側の前記金属ばね体との摺動部分において、少なくとも前記金属ばね体との押圧力が最大となる部分に高耐摩耗性機構が設けられる
ことを特徴とする片口金形ランプ用ソケット。
【請求項２】
前記高耐摩耗性機構は金属部材であることを特徴とする請求項１記載の片口金形ランプ用ソケット。
【請求項３】
前記金属部材は、凹凸形状に形成され、前記ソケットボディ側における前記金属ばね体との摺動部分全域をカバーすることを特徴とする請求項２記載の片口金形ランプ用ソケット。
【請求項４】
前記金属部材は表面にメッキ処理が施されていることを特徴とする請求項２または３記載の片口金形ランプ用ソケット。
【請求項５】
請求項２から４のいずれかに記載の片口金形ランプ用ソケットが取り付けられる器具本体に前記金属部材が設けられていることを特徴とする片口金形ランプ用ソケット。
【請求項６】
前記高耐摩耗性機構はスリットであることを特徴とする請求項１記載の片口金形ランプ用ソケット。
【発明の詳細な説明】
【０００１】
【発明の属する技術分野】
本発明は、繰り返し着脱自在に片口金形ランプを装着するための片口金形ランプ用ソケットに関するものである。
【０００２】
【従来の技術】
従来、この種の片口金形ランプ用ソケットは各種市販され提案されている。例えば、実公平３−３６０５５号公報には、ランプ口金を差込みひねって抜け止め係止される係合部をランプ口金の係止部に対応して設けた本体と、この本体に形成されてランプ口金の差込み方向に突出するランプピンのランプ口金の回動にともなう回動が可能な大きさを有するランプピン挿入孔と、このランプピン挿入孔の内側に配設されてランプピンの先端に弾接する接触部とを備えた片口金蛍光灯ソケットが記載されている。
【０００３】
また、特開平９−３５８３７号公報には、バルブの一端側に口金が設けられた片口金ランプと、片口金ランプを口金側から差し込んでひねることにより回転係止する片口金ランプソケットを備えた照明器具が記載されている。その片口金ランプソケットには、ランプ装着面側に片口金ランプの突出部が挿入されて所定角度回転可能な凹部を形成し、凹部の外側であって凹部と同心の円周上に略円弧形をなしランプピンが挿入されるランプピン挿入孔を設けると共に、ランプピン挿入孔内にランプピンに弾性接触する導電板を配設している。
【０００４】
【発明が解決しようとする課題】
近年、ランプのハイパワー化に伴い、ランプの通常点灯時にランプの温度が高温となり、またランプの寿命末期にランプの温度が上昇するなどの熱的な問題が発生し、この問題に対処するため、片口金形ランプの発光管の片側に設けられたベースおよび片口金形ランプ用ソケットの高耐熱化が要求されてきている。しかし、一方の片口金形ランプ用ソケットにあっては、その材質を高耐熱樹脂やセラミックにすると材質がもろいために、ソケットを構成するソケットボディが、これに収納される金属ばね体（特開平９−３５８３７号公報では固定ばね）による摺動摩耗で削れやすくなり、ランプの装着感触が低下するという別の問題が発生し得る。
【０００５】
なお、上記いずれのソケットも、ランプを差し込んでひねることによりランプを保持するようになっている。この場合、ランプをランプ軸方向に押し込んで、ソケットのランプ保持突起を乗り越えさせて回転装着状態にしている。そのため、ランプを軸方向に押し込む寸法が少ない器具に使用される回転式ソケットでありながら、ランプを軸方向に押し込むストロークが必要になってくるので、器具の大型化につながる。
【０００６】
本発明は、上記事情に鑑みてなされたものであり、金属ばね体による摺動摩耗で装着感触が低下することを防止する片口金形ランプ用ソケットを提供することを目的とする。
【０００７】
【課題を解決するための手段】
上記課題を解決するための請求項１記載の発明の片口金形ランプ用ソケットは、片口金形ランプの発光管の片側に設けられたベースからその発光管とは逆方向に突出する突出部および複数のランプピンが、それぞれ、挿入され、前記片口金形ランプを所定角度回転自在とする形状に形成された凹部および複数のランプピン挿入孔を一の面側に有するとともに、他の面側に収納室を有し、前記片口金形ランプの突出部および複数のランプピンが前記凹部および複数のランプピン挿入孔にそれぞれ挿入されて所定角度前記片口金形ランプが回転されると、これを保持する樹脂製のソケットボディと、このソケットボディの他の面側に取着されて前記収納室を閉塞するソケットカバーと、前記収納室内に収められ、前記複数のランプピンとそれぞれ電気的に接続される複数の導電金具と、前記収納室内に収められ、前記片口金形ランプが前記所定角度回転されるときに前記突出部に従動して前記ソケットボディ側に摺動することで前記片口金形ランプの装着感触を出す金属ばね体とを備え、前記ソケットボディ側の前記金属ばね体との摺動部分において、少なくとも前記金属ばね体との押圧力が最大となる部分に高耐摩耗性機構が設けられることを特徴とする。
【０００８】
請求項２記載の発明は、請求項１記載の片口金形ランプ用ソケットにおいて、前記高耐摩耗性機構は金属部材であることを特徴とする。
【０００９】
請求項３記載の発明は、請求項２記載の片口金形ランプ用ソケットにおいて、前記金属部材は、凹凸形状に形成され、前記ソケットボディ側における前記金属ばね体との摺動部分全域をカバーすることを特徴とする。
【００１０】
請求項４記載の発明は、請求項２または３記載の片口金形ランプ用ソケットにおいて、前記金属部材は表面にメッキ処理が施されていることを特徴とする。
【００１１】
請求項５記載の発明の片口金形ランプ用ソケットは、請求項２から４のいずれかに記載の片口金形ランプ用ソケットが取り付けられる器具本体に前記金属部材が設けられていることを特徴とする。
【００１２】
請求項６記載の発明は、請求項１記載の片口金形ランプ用ソケットにおいて、前記高耐摩耗性機構はスリットであることを特徴とする。
【００１３】
【発明の実施の形態】
（第１実施形態）
図１は本発明に係る第１実施形態の片口金形ランプ用ソケットの分解斜視図、図２はソケットカバーを外した状態で見た片口金形ランプ用ソケットの内部を示す図、図３，図４は片口金形ランプ用ソケットおよびこれに装着される片口金形ランプを示す斜視図、図５，図６は片口金形ランプの片口金形ランプ用ソケットへの装着手順の説明図である。
【００１４】
第１実施形態の片口金形ランプ用ソケット１は、図３，図４に示すような片口金形ランプ２を装着した状態でその片口金形ランプ２を図略の安定器に電気的に接続するためのものであり、図１，図２に示すように、樹脂製で筒状のソケットボディ１０と、樹脂製で円状のソケットカバー１１と、複数の導電金具１２と、金属ばね体１３と、複数の高耐摩耗性部材（高耐摩耗性機構）１４とを備えている。
【００１５】
片口金形ランプ２は、図３，図４に示すように、同心円上に並ぶ複数（図では６）本管形状の一の管であってこの管の各端部内にフィラメント（図示せず）を含む発光管２１と、各フィラメントの両端に電気的に接続される複数（４本）のランプピン２２と、発光管２１の片側を保持するベース２０とにより構成されている。
【００１６】
ベース２０には、発光管２１と逆方向に突出部２２０が突設されているとともに、その突出部２２０の外側に上記複数のランプピン２２が立設されている。ベース２０は側壁に段差のある形状をしており、発光管２１側の側壁部２００は、六角形状に形成され、側壁部２００より一回り小さく突出部２２０寄りにある側壁部２１０は、矩形状に形成されている。そして、側壁部２１０の側面には誤使用防止突起２１１が一対設けられている。一方、突出部２２０には、誤使用防止穴２２０ａが突出先端面に一対設けられ、係止用突起部２２１が側面に一対設けられている。
【００１７】
ソケットボディ１０は、図１〜図４に示すように、片口金形ランプ２の突出部２２０および複数のランプピン２２が、それぞれ、挿入され、片口金形ランプ２を所定角度回転自在とする形状に形成された凹部１０ａおよび複数（４つ）の扇状のランプピン挿入孔１０ｂを一の面側に有するとともに、他の面側に後述する収納室を有し、片口金形ランプ２の突出部２２０および複数のランプピン２２が凹部１０ａおよび複数のランプピン挿入孔１０ｂにそれぞれ挿入されて所定角度片口金形ランプ２が回転されると、これを保持する構造になっている。
【００１８】
すなわち、片口金形ランプ２の突出部２２０が挿入される凹部１０ａの内周面には、突出部２２０の係止用突起部２２１を奥に案内するための挿入溝１００ａが形成され、その挿入溝１００ａの奥側が広くなっている。これにより、係止用突起部２２１を挿入溝１００ａの奥に挿入すれば、片口金形ランプ２を所定角度回転させることができる。また、奥側が広くなっていることで、挿入溝１００ａの一方の測に隣接する突出部分が係止部１００となって係止用突起部２２１を係止することにより、片口金形ランプ２がソケットボディ１０に保持される。
【００１９】
また、ソケットボディ１０の一の面側には、片口金形ランプ２のベース２０の側壁部２１０を覆う一対のＣ字状の保護壁１０１が、少なくとも上記所定角度に対応した所定距離だけ離隔して突設されている。つまり、保護壁１０１間にある受け部１０１ａに、上記誤使用防止突起２１１が填る構造になっている。
【００２０】
上記収納室については、図２に示すように、金属ばね体１３を収納するための収納室１０ｃが設けられているほか、その収納室１０ｃの外側に、複数の導電金具１２をそれぞれ収納するための複数の収納室１０ｄが設けられている。すなわち、収納室１０ｃと各収納室１０ｄとの間には隔壁１０２が設けられ、各収納室１０ｄ間にも隔壁１０３が設けられている。
【００２１】
さらに、収納室１０ｃを形成する各隔壁１０２には、複数の高耐摩耗性部材１４を圧入するための溝１０２ａが形成されている。また、ソケットボディ１０の側壁部１０４には、上記他の面側から切り欠かれた横向きＴ字状の溝１０４ａが形成されている。
【００２２】
ソケットカバー１１は、ソケットボディ１０の他の面側に取着されて上記収納室１０ｃ，１０ｄを閉塞するものである。ソケットカバー１１におけるソケットボディ１０側の面には、図１に示すように、片口金形ランプ２の突出部２２０における一対の誤使用防止穴２２０ａにそれぞれ填り込む一対の誤使用防止突片１１１が立設されている。また、それら誤使用防止突片１１１を中心とする円状のリブ１１２が形成されており、そのリブ１１２にはクリック用の溝１１２ａが複数形成されている。さらに、それら誤使用防止突片１１１およびリブ１１２を間に挟んだ両側には、複数の突部１１３が各収納室１０ｄに対応する位置に設けられている。そして、それらの各突部１１３には、電線の導体線を挿通するための挿通孔１１３ａが穿設されている。また、両側の突部１１３の外側には、一対の突片１１４が立設され、その先端に外向きの係止爪１１４ａが形成されている。
【００２３】
複数の導電金具１２は、それぞれ、複数の収納室１０ｄに収められ、複数のランプピン２２と電気的に接続されるとともに、複数の突部１１３の挿通孔１１３ａに挿通された導体線と電気的に接続されるものである。ただし、複数の導電金具１２は、図１，図２の例に示すような２種類の形状に形成されるが、ここでは説明の便宜上同一符号を使用する。
【００２４】
金属ばね体１３は、収納室１０ｃ内に収められ、片口金形ランプ２が所定角度回転されるときにその突出部２２０に従動してソケットボディ１０側に摺動することで片口金形ランプ２の装着感触を出すものである。
【００２５】
金属ばね体１３は、図１の例では、円状の中央部１３０と、この両側から立設する両端部１３１とを一体に有する形状に形成されている。中央部１３０には、中心に孔１３０ａが穿設されているとともに、その孔１３０ａを中心とする扇状のスリット１３０ｂが一対形成されている。また、中央部１３０の各スリット１３０ｂの外側には下方に突設するクリック用の突起１３０ｃが設けられている。一方、各端部１３１の両側には、片口金形ランプ２の突出部２２０における誤使用防止突起２１１を狭持する狭持片１３１ａが一対内向きに形成され、外面は凸状になっている。
【００２６】
高耐摩耗性部材１４は、ソケットボディ２側の金属ばね体１３との摺動部分において、少なくとも金属ばね体１３との押圧力が最大となる部分に設けられるものであり、第１実施形態では、金属部材が使用される。この高耐摩耗性部材１４は、図１に示すように、断面がＷ字状となる凹凸形状に形成された矩形状の金属板からなり、ソケットボディ１０側における金属ばね体１３との摺動部分全域をカバーする寸法に設定されている。また、高耐摩耗性部材１４の表面には、凹凸形状の加工後にメッキ処理が施される。ここで、高耐摩耗性部材１４に金属ばね体１３の両端部１３１が摺動する際に高耐摩耗性部材１４の凹凸形状によってクリック感が得られる。
【００２７】
このように構成される片口金形ランプ用ソケット１は、以下のような手順で組み立てられる。例えば、まず、図２に示すように、各高耐摩耗性部材１４をソケットボディ１０の各溝１０２ａに圧入し、複数の導電金具１２を複数の収納室１０ｄに収納する。この後、ソケットカバー１１の各誤使用防止突片１１１を金属ばね体１３の各スリット１３０ｂ内に通した状態で（あるいは先に金属ばね体１３を収納室１０ｃ内に収納した場合には各スリット１３０ｂ内に通すようにしながら）、ソケットカバー１１の各突片１１４の係止爪１１４ａを、ソケットボディ１０の横向きＴ字状の溝１０４ａの足部に係止させて、ソケットカバー１１をソケットボディ１０に取着する。これにより、図３，図４に示すような片口金形ランプ用ソケット１が得られる。
【００２８】
そして、片口金形ランプ用ソケット１に片口金形ランプ２を装着する場合は、片口金形ランプ用ソケット１の各係止用突起部２２１を片口金形ランプ２の各挿入溝１００ａに位置合わせし、そして、片口金形ランプ用ソケット１に対し、片口金形ランプ２を図５に示す挿入方向Ａに挿入して図６に示す回転方向Ｂに回転すればよい。逆に、片口金形ランプ用ソケット１から片口金形ランプ２を取り外す場合は、片口金形ランプ用ソケット１に対し、片口金形ランプ２を図６に示す回転方向Ｃに回転して図５に示す取外し方向Ｄに引き抜けばよい。
【００２９】
以上、第１実施形態によれば、仮にソケットボディ１０の材質が高耐熱樹脂やセラミックであったとしても、片口金形ランプ用ソケット１に対する片口金形ランプ２の着脱時に片口金形ランプ２の回転に従道して金属ばね体１３が回転したとき、ソケットボディ１０側における金属ばね体１３との摺動部分全域が金属部材によりなる高耐摩耗性部材１４でカバーされるので、金属ばね体１３の両端部１３１によってソケットボディ１０が削られることがなくなり、金属ばね体１３と高耐摩耗性部材１４との関係によって常に安定した装着感触を得ることができる。これにより、金属ばね体１３による摺動摩耗で装着感触が低下することを防止することができる。
【００３０】
また、高耐摩耗性部材１４の表面にはメッキ処理が施されているので、金属間の表面粗度がなめらかになり、極力、片口金形ランプ２が片口金形ランプ用ソケット１に中途半端な状態で取り付けられることがないようにすることができる。また、繰り返し摺動時の表面粗れも生じにくくなり、着脱トルクが変動しにくくなる。なお、金属ばね体１３の表面にもメッキ処理を施すようにすれば、金属間の表面粗度がよりなめらかになり、より好適に、片口金形ランプ２が片口金形ランプ用ソケット１に中途半端な状態で取り付けられることがないようにすることができる。
【００３１】
また、高耐摩耗性部材１４を凹凸形状としたことにより、中途半端な回転時に金属ばね体１３が凹部の位置に戻るので、片口金形ランプ２が中途半端な回転位置で片口金形ランプ用ソケット１に取り付けられた状態となるのを防止することができる。
【００３２】
さらに、ソケットボディ１０のセラミック化も可能となるので、蛍光ランプ用に限らず、ＨＩＤランプ用の回転式ソケットへの展開が可能になる。
【００３３】
（第２実施形態）
図７は本発明に係る第２実施形態の片口金形ランプ用ソケットに使用される高耐摩耗性機構の斜視図である。
【００３４】
第２実施形態の片口金形ランプ用ソケットは、第１実施形態との相違点として、高耐摩耗性部材１４に代えて、図７に示すように、金属板に２つの孔２４ａを穿設してなる高耐摩耗性部材（高耐摩耗性機構）２４が使用される。
【００３５】
この高耐摩耗性部材２４によれば、抜き形状であるので、寸法加工の精度が上がり、装着トルクの一層の安定化を図ることができる。
【００３６】
（第３実施形態）
図８は本発明に係る第３実施形態の片口金形ランプ用ソケットに使用されるソケットボディを示す図、図９は同片口金形ランプ用ソケットに使用されるソケットカバーを示す図である。ただし、図８（ｂ）は（ａ）のＡ１−Ａ１線から見た一部断面図である。
【００３７】
第３実施形態の片口金形ランプ用ソケットは、第１実施形態との相違点として、高耐摩耗性部材１４を使用せずに、ソケットボディ１０およびソケットカバー１１に代えて、図８に示すソケットボディ２０および図９に示すソケットカバー２１が使用される。
【００３８】
ソケットボディ２０は、高耐摩耗性部材１４のクリック用の凹凸形状と同形状に形成されたＷ字状の凹凸部２４ａを一体に有し、凹凸部２４ａの両側にその弾性変形を可能にする１．５ｍｍ幅程度のスリット１０ｅが、高耐摩耗性機構３４として設けられている以外は第１実施形態のソケットボディ１０と同様に構成される。また、一方のスリット１０ｅは、係止部１００の他方の側（挿入溝１００ａがない側）まで伸びている。このように、ソケットボディ２０側の金属ばね体１３との摺動部分においてスリット１０ｅを形成して高耐摩耗性機構３４とすることにより、金属ばね体による摺動摩耗で装着感触が低下することを防止することができる。また、回転途中で金属ばね体１３との干渉が少なくなる。
【００３９】
ソケットカバー２１は、第１実施形態のソケットカバー１１との相違点として、ソケットボディ２０のスリット１０ｅの略投影面上にカバークリック用のスリット１１５が形成されている。このように、スリット１１５を形成することにより、カバークリック用のスリット１１５からクリック音を外部に放出することができ、クリック音を一箇所に集中させることができる。
【００４０】
（第４実施形態）
図１０は本発明に係る第４実施形態の片口金形ランプ用ソケットなどを示す斜視図である。
【００４１】
第４実施形態の片口金形ランプ用ソケット４は、第１実施形態との相違点として、高耐摩耗性部材１４に代えて、図１０に示すように、当該片口金形ランプ用ソケット４が取り付けられる器具本体３の取付面に設けられた金属部材が、高耐摩耗性部材（高耐摩耗性機構）４４として使用される。この高耐摩耗性部材４４は、器具本体３の取付面の金属板の一部が切り起こされて高耐摩耗性部材１４と同形状に形成される。ただし、片口金形ランプ用ソケット４のソケットカバー１１には、高耐摩耗性部材４４を挿通するための孔が穿設される。
【００４２】
第４実施形態によれば、片口金形ランプ用ソケット４が取り付けられる器具本体３の取付面に高耐摩耗性部材４を設けることにより、片口金形ランプ用ソケット４の構成部品を削減することができる。また、片口金形ランプ２の回転時のトルクが器具本体３の高耐摩耗性部材４に伝わるので、ソケットボディ１０に必要となる強度の条件が緩和されるから、片口金形ランプ用ソケット４の薄肉化・小型化が可能となる。
【００４３】
【発明の効果】
以上のことから明らかなように、請求項１記載の発明の片口金形ランプ用ソケットは、片口金形ランプの発光管の片側に設けられたベースからその発光管とは逆方向に突出する突出部および複数のランプピンが、それぞれ、挿入され、前記片口金形ランプを所定角度回転自在とする形状に形成された凹部および複数のランプピン挿入孔を一の面側に有するとともに、他の面側に収納室を有し、前記片口金形ランプの突出部および複数のランプピンが前記凹部および複数のランプピン挿入孔にそれぞれ挿入されて所定角度前記片口金形ランプが回転されると、これを保持する樹脂製のソケットボディと、このソケットボディの他の面側に取着されて前記収納室を閉塞するソケットカバーと、前記収納室内に収められ、前記複数のランプピンとそれぞれ電気的に接続される複数の導電金具と、前記収納室内に収められ、前記片口金形ランプが前記所定角度回転されるときに前記突出部に従動して前記ソケットボディ側に摺動することで前記片口金形ランプの装着感触を出す金属ばね体とを備え、前記ソケットボディ側の前記金属ばね体との摺動部分において、少なくとも前記金属ばね体との押圧力が最大となる部分に高耐摩耗性機構が設けられるので、仮にソケットボディの材質が高耐熱樹脂やセラミックであったとしても、片口金形ランプ用ソケットに対する片口金形ランプの着脱時に突出部に従動して金属ばね体が回転したとき、ソケットボディ側における金属ばね体との摺動部分が高耐摩耗性機構により保護されるので、金属ばね体による摺動摩耗で装着感触が低下することを防止することができる。
【００４４】
請求項２記載の発明は、請求項１記載の片口金形ランプ用ソケットにおいて、前記高耐摩耗性機構は金属部材であるので、金属ばね体によってソケットボディが削られることがなくなり、金属ばね体と金属部材との関係によって常に安定した装着感触を得ることができる。
【００４５】
請求項３記載の発明は、請求項２記載の片口金形ランプ用ソケットにおいて、前記金属部材は、凹凸形状に形成され、前記ソケットボディ側における前記金属ばね体との摺動部分全域をカバーするので、ソケットボディ側における金属ばね体との摺動部分全域が金属部材でカバーされるので、金属ばね体によってソケットボディが削られることがなくなり、金属ばね体と金属部材との関係によって常に安定した装着感触を得ることができる。
【００４６】
請求項４記載の発明は、請求項２または３記載の片口金形ランプ用ソケットにおいて、前記金属部材は表面にメッキ処理が施されているので、金属間の表面粗度がなめらかになり、極力、片口金形ランプが片口金形ランプ用ソケットに中途半端な状態で取り付けられることがないようにすることができる。
【００４７】
請求項５記載の発明の片口金形ランプ用ソケットは、請求項２から４のいずれかに記載の片口金形ランプ用ソケットが取り付けられる器具本体に前記金属部材が設けられているので、片口金形ランプ用ソケットの構成部品を削減することができる。
【００４８】
請求項６記載の発明は、請求項１記載の片口金形ランプ用ソケットにおいて、前記高耐摩耗性機構はスリットであるので、金属ばね体による摺動摩耗で装着感触が低下することを防止することができる。
【図面の簡単な説明】
【図１】本発明に係る第１実施形態の片口金形ランプ用ソケットの分解斜視図である。
【図２】ソケットカバーを外した状態で見た片口金形ランプ用ソケットの内部を示す図である。
【図３】片口金形ランプ用ソケットおよびこれに装着される片口金形ランプを示す斜視図である。
【図４】片口金形ランプ用ソケットおよびこれに装着される片口金形ランプを示す斜視図である。
【図５】片口金形ランプの片口金形ランプ用ソケットへの装着手順の説明図である。
【図６】片口金形ランプの片口金形ランプ用ソケットへの装着手順の説明図である。
【図７】本発明に係る第２実施形態の片口金形ランプ用ソケットに使用される高耐摩耗性機構の斜視図である。
【図８】本発明に係る第３実施形態の片口金形ランプ用ソケットに使用されるソケットボディを示す図である。
【図９】同片口金形ランプ用ソケットに使用されるソケットカバーを示す図である。
【図１０】本発明に係る第４実施形態の片口金形ランプ用ソケットなどを示す斜視図である。
【符号の説明】
１，４　片口金形ランプ用ソケット
１０　ソケットボディ
１００　係止部
１０１　保護壁
１０２，１０３　隔壁
１０４　側壁部
１０４ａ　溝
１０２ａ　溝
１０ａ　凹部
１０ｂ　ランプピン挿入孔
１０ｃ　収納室
１０ｄ　収納室
１０ｅ　スリット
１１　ソケットカバー
１１１　誤使用防止突片
１１２　リブ
１１２ａ　溝
１１３　突部
１１４　突片
１１５　溝
１２　導電金具
１３　金属ばね体
１４，２４，４４　高耐摩耗性部材（高耐摩耗性機構）
３４　高耐摩耗性機構
２　片口金形ランプ
２０　ベース
２００　側壁部
２１０　側壁部
２１１　誤使用防止突起
２２０　突出部
２２１　係止用突起部
２１　発光管
２２　ランプピン
２２０　突出部
【図１】
2004022312.tif 000003
【図２】
2004022312.tif 000004
【図３】
2004022312.tif 000005
【図４】
2004022312.tif 000006
【図５】
2004022312.tif 000007
【図６】
2004022312.tif 000008
【図７】
2004022312.tif 000009
【図８】
2004022312.tif 000010
【図９】
2004022312.tif 000011
【図１０】
2004022312.tif 000012